【手続補正書】
【提出日】令和1年8月15日(2019.8.15)
【手続補正１】
【補正対象書類名】特許請求の範囲
【補正対象項目名】全文
【補正方法】変更
【補正の内容】
【特許請求の範囲】
【請求項１】
装置であって、
前記装置は、
（ａ）ヒンジの付いた脇柱を含むフレームによって境界を定められた開口部であって、フレームが閉鎖物の面を定義する、開口部と、
（ｂ）パネルと、
（ｃ）前記パネルと前記ヒンジの付いた脇柱に連結し、および、前記開口部に対して前記パネルを掛けるように構成された、ヒンジ構造であって、前記開口部から取り除かれた開位置と、前記パネルが開口部内の前記閉鎖物の面に平行に位置合わせされる閉位置との間で開閉可能な、ヒンジ構造と、
（ｄ）
（ｉ）前記ヒンジの付いた脇柱と固定関係にある棚状の突起と、
（ｉｉ）前記パネルに堅く連結されたフランジとを備える、
係合構造と、を備え、
前記係合構造は、前記係合構造が前記開位置と前記閉位置との間の前記パネルの開閉を妨害せず、および、前記パネルが前記閉位置を仮定するとき、前記フランジが前記棚状の突起と対面する関係となり、前記閉鎖物の面内のパネルを前記ヒンジの付いた脇柱から遠ざけるように移動させるために向けられた力が、前記フランジを前記棚状の突起と係合させるように作用するように、構成され、
前記パネルの少なくとも一部は閉じた外形として形成され、および、前記フランジは前記閉じた外形から突出する、
装置。
【請求項２】
前記ヒンジの付いた脇柱は凹部とともに形成され、および、前記閉じた外形の少なくとも一部は前記パネルの前記閉位置において前記凹部内で展開される、請求項１に記載の装置。
【請求項３】
前記閉じた外形は、前記フランジと前記閉じた外形を形成するために曲げられたシート材料の少なくとも１つの層から形成される、請求項１に記載の装置。
【請求項４】
前記閉じた外形は、前記フランジと前記閉じた外形を形成するために曲げられたシート材料の単一のピースから形成される、請求項１に記載の装置。
【請求項５】
前記閉じた外形は押し出された外形である、請求項１に記載の装置。
【請求項６】
前記パネルは、それぞれがパネルの全幅を実質的に拡張する少なくとも２つのシート材料から形成される、請求項１に記載の装置。
【請求項７】
前記閉じた外形は細長い凹部を含み、前記パネルは、側部の折り畳まれた縁部で形成されたシート材料を含み、前記細長い凹部と前記側部の折り畳まれた縁部は相互係合を摺動させるために構成される、請求項１に記載の装置。
【請求項８】
前記閉じた外形は肩部をさらに含み、前記ヒンジの付いた脇柱は当接面をさらに含み、前記肩部と前記当接面は、前記パネルが閉位置を仮定するときに、前記肩部と前記当接面が対面する関係となって、前記閉鎖物の面内の前記パネルを前記ヒンジの付いた脇柱の方へ移動させるために向けられた力が、前記肩部を前記当接面と係合させるように作用するように、展開される、請求項１に記載の装置。
【請求項９】
前記フランジと前記肩部は、それらの間に前記閉じた外形の細長い凹部を定義する対面関係にあり、および、前記棚状の突起と前記当接面は、前記ヒンジの付いた脇柱の突出する隆起部へと一体化され、前記突出する隆起部は、前記パネルが前記閉位置を仮定するときに、前記細長い凹部と係合する、請求項８に記載の装置。
【請求項１０】
前記ヒンジの付いた脇柱は当接面をさらに含み、前記当接面は前記棚状の突起と対面関係にあって、その間に細長いヒンジの付いた脇柱の凹部を定義し、前記フランジは、前記パネルが閉位置を仮定し、前記フランジが前記当接面と対面関係にあるとき、前記細長いヒンジの付いた脇柱の凹部と係合するように展開され、前記閉鎖物の面内の前記パネルを前記ヒンジの付いた脇柱の方へ移動させるために向けられた力は、前記フランジを前記当接面と係合させるように作用する、請求項１に記載の装置。
【請求項１１】
前記閉じた外形は前記パネルの縁に伸びる、請求項１に記載の装置。
【請求項１２】
前記フランジは、前記パネルが前記閉位置にあるとき、前記閉鎖物の面に垂直な方向に前記閉じた外形から突出する、請求項１に記載の装置。
【請求項１３】
前記係合構造は、前記ヒンジ構造に損傷をもたらす十分な力を適用する際にのみ前記フランジと前記棚状の突起との間の接触が生じるように、構成される、請求項１に記載の装置。
【請求項１４】
前記フレームはヒンジの付いていない脇柱をさらに含み、前記パネルは、前記ヒンジの付いていない脇柱に係合するために動かすことができるロック要素を有するロック機構をさらに含む、請求項１に記載の装置。
【請求項１５】
前記ロック要素は、前記ヒンジの付いていない脇柱から前記パネルを引き離すように向けられた力に対向するために前記ヒンジの付いていない脇柱と係合するように構成されたフック要素である、請求項１４に記載の装置。
【請求項１６】
前記棚状の突起に面する前記フランジの面は、前記フランジと前記突起が荷重下で互いに対してロックするような角度がつけられる、請求項１に記載の装置。
【請求項１７】
装置であって、
前記装置は、
（ａ）ヒンジの付いた脇柱を含むフレームによって境界を定められた開口部であって、フレームが閉鎖物の面を定義する、開口部と、
（ｂ）パネルと、
（ｃ）前記パネルと前記ヒンジの付いた脇柱に連結し、および、前記開口部に対して前記パネルを掛けるように構成された、ヒンジ構造であって、前記開口部から取り除かれた開位置と、前記パネルが開口部内の前記閉鎖物の面に平行に位置合わせされる閉位置との間で開閉可能な、ヒンジ構造と、
（ｄ）
（ｉ）前記ヒンジの付いた脇柱と固定関係にある棚状の突起と、
（ｉｉ）前記パネルに堅く連結されたフランジとを備える、
係合構造と、を備え、
前記係合構造は、前記係合構造が前記開位置と前記閉位置との間の前記パネルの開閉を妨害せず、および、前記パネルが前記閉位置を仮定するとき、前記フランジが前記棚状の突起と対面する関係となり、前記閉鎖物の面内のパネルを前記ヒンジの付いた脇柱から遠ざけるように移動させるために向けられた力が、前記フランジを前記棚状の突起と係合させるように作用するように、構成され、および、
前記ヒンジの付いた脇柱に固定して取り付けられ、および、前記ヒンジの付いた脇柱の長さの少なくとも一部に沿って延びる、支持ストリップをさらに含み、
前記棚状の突起は、前記支持ストリップ内に形成され、および前記支持ストリップに沿って延びる、溝部の内面によって提供される、
装置。
【請求項１８】
前記支持ストリップは、前記パネルがその周りを開閉する少なくとも１つのヒンジピン要素を支持する、請求項１７に記載の装置。
【請求項１９】
前記支持ストリップは、前記ヒンジの付いた脇柱に沿って間隔を置いて配された複数のヒンジピン要素を支持し、前記ヒンジピン要素の合計長さは前記棚状の突起の合計長さ未満である、請求項１７に記載の装置。
【請求項２０】
装置であって、
前記装置は、
（ａ）ヒンジの付いた脇柱を含むフレームによって境界を定められた開口部であって、フレームが閉鎖物の面を定義する、開口部と、
（ｂ）パネルと、
（ｃ）前記パネルと前記ヒンジの付いた脇柱に連結し、および、前記開口部に対して前記パネルを掛けるように構成された、ヒンジ構造であって、前記開口部から取り除かれた開位置と、前記パネルが開口部内の前記閉鎖物の面に平行に位置合わせされる閉位置との間で開閉可能な、ヒンジ構造と、
（ｄ）
（ｉ）前記ヒンジの付いた脇柱と固定関係にある棚状の突起と、
（ｉｉ）前記パネルに堅く連結されたフランジとを備える、
係合構造と、を備え、
前記係合構造は、前記係合構造が前記開位置と前記閉位置との間の前記パネルの自由な開閉を妨害せず、および、前記パネルが前記閉位置を仮定するとき、前記フランジが前記棚状の突起と対面する関係となり、前記閉鎖物の面内のパネルを前記ヒンジの付いた脇柱から遠ざけるように移動させるために向けられた力が、前記フランジを前記棚状の突起と係合させるように作用するように、構成され、および、
前記フランジは前記パネルに堅く取り付けられたフランジ延長部の一部である、
装置。
【請求項２１】
前記フランジ延長部は前記パネルにボルトで締められる、請求項２０に記載の装置。
【請求項２２】
前記フランジ延長部は前記パネルに幾何学的に連結される、請求項２０に記載の装置。
【請求項２３】
前記フランジ延長部は前記ヒンジの付いた脇柱に平行な前記パネルの寸法の大部分に沿って延びる、請求項２０に記載の装置。